(57)【特許請求の範囲】
【請求項１】
開口部を有する前面キャビネットと、上記前面キャビネットの上記開口部に装着されたスピーカユニットと、上面に開口部を有し、この開口部を覆うカバーとで上記スピーカユニットを収納する空間と上記スピーカユニットの後面放出波を外部に導出する音導路を形成するバックキャビネットと、このバックキャビネットに一体に設けられ上記カバーに結合された上記スピーカユニットの背面に当接するとともに、上記音導路方向に延長して後面放出波を導き、上記音導路の入口で発生する風切り音を抑制する整流壁とで構成されたスピーカ装置。
【発明の詳細な説明】
【０００１】
【発明の属する技術分野】
本発明はテレビジョン受像機等の映像用機器や自動車、情報通信等の各種音響機器に使用されるスピーカ装置に関するものである。
【０００２】
【従来の技術】
従来のスピーカ装置について図７，図８により説明する。
【０００３】
図７は上記従来のスピーカ装置の構造断面図であり、図８は同分解斜視図である。同図において、１はスピーカボックスであり、２はスピーカボックス１を形成する前面キャビネット、３は同バックキャビネット、４は同カバーであり、５は上記前面キャビネット２の開口部に装着されたスピーカユニットであり、このスピーカユニット５は上記前面キャビネット２の開口部に装着されることによってスピーカボックス１が形成する密閉空間内に収納されている。
【０００４】
６は前面キャビネット２、バックキャビネット３、カバー４及びスピーカユニット５をそれぞれ固定する取付ビスである。
【０００５】
なお、ｃはバックキャビネット３に設けられた第１の音導路、ｄは同第２の音導路であり、ａはスピーカユニット５の前から出る前面放出波、ｂはスピーカユニット５の後ろから出る後面放出波である。なお、７は入力コードである。
【０００６】
以上のように構成された従来のスピーカ装置について以下にその動作を説明する。まず、入力コード７に電気信号を印加するとスピーカユニット５に伝えられ、スピーカユニット５によって音響信号に変換され音の波が発生する。その際、音の波として、スピーカユニット５の前面から出る音は正となる前面放出波ａとして発生し、スピーカユニット５の後面から出る後面放出波ｂを音導路ｃ，ｄによって導出してスピーカユニット５単体では出すことのできなかった低音域再生が可能としているものである。
【０００７】
【発明が解決しようとする課題】
しかしながら上記従来の構成では、スピーカユニット５自体の振動やスピーカユニット５から出る後面放出波ｂの圧力によりバックキャビネット３とカバー４のスピーカユニット５の近傍が振動し低音域特性に影響を与えていた。また、スピーカ装置に強い衝撃が加わった場合、スピーカユニット５のビス６による取り付けが不十分であると脱落の恐れがあるとともに、近年のスピーカ装置の軽量化のためにスピーカの材質に樹脂が使用されることが多くなっているため、前面キャビネット２やバックキャビネット３の強度を確保することが構造上できず、より強度向上が求められている。
【０００８】
本発明は上記従来の課題を解決するもので、スピーカユニット自体や前面キャビネットやバックキャビネットの不要な振幅を防止し、スピーカ装置に必要な低音域再生を容易に実現することができ、さらには、強い衝撃に対してもスピーカ脱落の危険性のない耐久性に富んだ構造を持つ優れた音響性能を兼ね備え持ったスピーカ装置を提供することを目的とするものである。
【０００９】
【課題を解決するための手段】
上記課題を解決するために本発明のスピーカ装置は、開口部を有する前面キャビネットと、上記前面キャビネットの上記開口部に装着されたスピーカユニットと、上面に開口部を有し、この開口部を覆うカバーとで上記スピーカユニットを収納する空間と上記スピーカユニットの後面放出波を外部に導出する音導路を形成するバックキャビネットと、このバックキャビネットに一体に設けられ上記カバーに結合された上記スピーカユニットの背面に当接するとともに、上記音導路方向に延長して後面放出波を導き、上記音導路の入口で発生する風切り音を抑制する整流壁とで構成したものである。
【００１０】
上記整流壁によってスピーカユニット自体の振動、バックキャビネットおよびカバーの振動を抑制することができ、スピーカ装置に必要な低音域再生を実現するとともに、強い衝撃に対してもスピーカ脱落の危険性のない耐久性に富んだ構造とできるものである。
【００１１】
【発明の実施の形態】
本発明の請求項１に記載の発明は、開口部を有する前面キャビネットと、上記前面キャビネットの上記開口部に装着されたスピーカユニットと、上面に開口部を有し、この開口部を覆うカバーとで上記スピーカユニットを収納する空間と上記スピーカユニットの後面放出波を外部に導出する音導路を形成するバックキャビネットと、このバックキャビネットに一体に設けられ上記カバーに結合した上記スピーカユニットの背面に当接するとともに、上記音導路方向に延長して後面放出波を上記音導路に導く整流壁とでスピーカ装置を構成するものであり、整流壁によってスピーカユニット自体の振動、バックキャビネットおよびカバーの振動を抑制することができ、スピーカ装置に必要な低音域再生を実現するとともに、強い衝撃に対してもスピーカ脱落の危険性のない耐久性に富んだ構造とできるものである。
また、上記整流壁によって後面放出波の空気の流れを調節して音導路入り口にて発生する風切り音を抑制してさらなる音圧周波数特性の向上を図ることができるものである。
【００１５】
以下本発明のスピーカ装置の実施の形態について図面を参照しながら説明する。説明にあたっては従来技術と同一部分は同一番号を付与して説明を省略して説明する。なお、本発明の実施形態の説明に先立ち、発明に至る改善例について説明する。
【００１６】
（改善例）
図１は発明に至る改善例のスピーカ装置の断面図であり、図２は同分解斜視図であり、図３は同音圧周波数特性図である。同図により従来技術との相違点のみ説明すると、相違点は前面キャビネット２に装着されたスピーカユニット５の背面に当接するように補強柱３ａをバックキャビネット３に設け、この補強柱３ａとカバー４を取付ビス６により結合した点である。
【００１７】
以上のように構成されたスピーカ装置について、動作を説明する。
まず、入力コード７に電気信号を印加すると音響信号に変換され音の波が発生する。その際音の波として、スピーカユニット５の前面から出る音は正となる前面放出波ａとして発生し、スピーカユニット５の後面から出る音は負となる後面放出波ｂとして発生する。
【００１８】
なお、このときスピーカユニット５も振動するが補強柱３ａがスピーカユニット５の背面と当接しているので、スピーカユニット５の振動は抑制される。
【００１９】
また、後面放出波ｂの圧力によりバックキャビネット３とカバー４のスピーカユニット５の近傍が振幅し呼吸するかの如く動こうとするが、バックキャビネット３の補強柱３ａを介してバックキャビネット３とカバー４を結合しているのでバックキャビネット３とカバー４の後面放出波ｂの圧力による振動が抑制され、低音域特性において劣化のないものが得られる。
【００２０】
また、強い衝撃を受けた際もスピーカユニット５の脱落を防止することができ、高い信頼性が確保できるものである。
【００２１】
図３は上記実施の形態のスピーカ装置の音圧周波数特性ｅと従来のスピーカ装置の音圧周波数特性ｆを示すものであり、上述のごとく低音特性において従来のものより優れていることが確認された。
【００２２】
なお、前面キャビネット２やカバー４の材質を樹脂等強度の弱いものとしても、強度の確保ができ低音域特性の劣化のない耐久性に富んだ構造のスピーカ装置とすることもできるものである。
【００２３】
（実施の形態１）
図４は本発明の一実施の形態のスピーカ装置の断面図である。同図により上記の改善例との相違点のみ説明すると、バックキャビネット３に上記前面キャビネット２に装着されたスピーカユニット５の背面に当接すると共に後面放出波ｂのスピーカユニット５の背面での乱れを防ぐ第１の音導路ｃの方向に延長された第１の整流壁３ｂと第２の音導路ｄの方向に延長された第２の整流壁３ｃからなる整流壁３ｄを設けたものであり、上記実施の形態においてはこの整流壁３ｄに連続した補強柱３ａでカバー４と結合しているが、スピーカユニット５の出力の大きさによっては補強柱３ａを用いず整流壁３ｄでカバー４と結合しても良いものである。
【００２４】
以上のように上記実施の形態においては整流壁３ｄを介してバックキャビネット３とカバー４を結合し、スピーカユニット５の背面と整流壁３ｄを当接させたことによって上記（改善例）と同様バックキャビネット３とカバー４の後面放出波ｂの圧力による振動およびスピーカユニット５自体の振動を抑制し、低音域特性の劣化を防止すると共に、整流壁３ｄによって後面放出波ｂの空気の流れを調節して音導路ｃ、音導路ｄの入り口にて発生する風切り音を抑制してさらなる音圧周波数特性の向上を図ることができるものである。
【００２５】
図５は後面放出波によるびり付きやユニットの振動を抑制する展開例のスピーカ装置の側断面図であり、図６は同分解斜視図である。
【００２６】
同図によると、１１はスピーカボックスであり、前面にスピーカユニット１２を装着する前面キャビネット１１ａとこの前面キャビネット１１ａと結合するカバー１１ｂとで構成されている。
【００２７】
１１ｃは前面キャビネット１１ａのスピーカユニット１２の装着部分近傍にカバー１１ｂに向けて突出して設けられたツメであり、カバー１１ｂにはこのツメ１１ｃに係合する凹部または穴部１１ｄが設けられており、このツメ１１ｃと凹部または穴部１１ｄとで前面キャビネット１１ａとカバー１１ｂとのスピーカボックス１１の長辺側の略中央に設けられた結合手段となっている。また、ツメ１１ｃは凹部または穴部１１ｄとの係合時にスピーカユニット１２を挟持するように対向する両長辺にそれぞれ設けられて一対の結合手段を形成している。
【００２８】
以上のように、結合手段によって前面キャビネット１１ａとカバー１１ｂを強固に固定して後面放出波ｇによる振動（ビリ付き）を抑制するとともに、スピーカユニット１２の振動も抑制することもでき、音圧周波数特性の向上を図れるものであるとともにスピーカボックス１１としての強度の向上も部品点数の増加なしに図れることができるものである。
【００３０】
【発明の効果】
以上のように本発明は、バックキャビネットやカバーの結合を強固にして、スピーカユニットから出る後面放射波の圧力によるバックキャビネットやカバーの振幅を防ぐことにより、高入力印加においても良好な低音域特性が得られ、且つ、強い衝撃を受けた時にもスピーカユニットの脱落を防止する優れたスピーカ装置の提供を可能とするものである。
【図面の簡単な説明】
【図１】  本発明のスピーカ装置に至る改善例の断面図
【図２】  同分解斜視図
【図３】  同音圧周波数特性図
【図４】  本発明のスピーカ装置の一実施の形態の断面図
【図５】  同展開例のスピーカ装置の側断面図
【図６】  同分解斜視図
【図７】  従来のスピーカ装置の構造断面図
【図８】  同分解斜視図
【符号の説明】
１，１１  スピーカボックス
２，１１ａ  前面キャビネット
３  バックキャビネット
３ａ  補強柱
３ｄ  整流壁
４，１１ｂ  カバー
５，１２  スピーカユニット
【図１】
0003911754.tif 000002
【図２】
0003911754.tif 000003
【図３】
0003911754.tif 000004
【図４】
0003911754.tif 000005
【図５】
0003911754.tif 000006
【図６】
0003911754.tif 000007
【図７】
0003911754.tif 000008
【図８】
0003911754.tif 000009